(57)【要約】【課題】生コンクリートのダレの発生を抑制できると共に、型枠の変形も抑制できる勾配コンクリート屋根の施工方法を提供する。【解決手段】屋根の棟が位置する予定の領域の高さに略水平に、第１の型枠１と第２の型枠２を配置する。次に、第１の型枠１と第２の型枠２に、生コンクリートを供給し、生コンクリートを硬化させて、第１のコンクリート板３及び第２のコンクリート板４を得る。ワイヤロープ１５Ａを伸ばして、第１のコンクリート板３の第２の縁部から突出した第１の横鉄筋５の他端や、第２のコンクリート板４の第２の縁部から突出した第２の横鉄筋７の他端を吊り降ろし、第１のコンクリート板３と第２のコンクリート板４を、第１のコンクリート板３と第２のコンクリート板４が略水平に配置された位置から水平方向に対して傾斜させる。【選択図】図１
2012167476.tif 000002
【特許請求の範囲】
【請求項１】
一階の天井が位置する予定の領域以上の高さに略水平に配置された型枠に、生コンクリートを供給する供給工程と、
該供給工程において供給された前記生コンクリートが硬化して得られたコンクリート板を、略水平に配置された位置から水平方向に対して傾斜させる傾斜工程と、
該傾斜工程において傾斜された前記コンクリート板を、建材に接合する接合工程とを備える
勾配コンクリート屋根の施工方法。
【請求項２】
屋根の棟が位置する予定の領域に配置された建材に、前記コンクリート板を支持する支持部材を配置する支持部材配置工程を備え、
前記供給工程において、型枠を、屋根の棟が位置する予定の領域以上の高さに略水平に配置し、
前記傾斜工程において、前記支持部材に、前記コンクリート板の第１の縁部を着脱可能に取付け、同第１の縁部と対向する前記コンクリート板の第２の縁部を下げて、前記コンクリート板を傾斜させる
請求項１に記載の勾配コンクリート屋根の施工方法。
【請求項３】
前記供給工程の前に、前記型枠から両端が突出するよう鉄筋を前記型枠に配置する鉄筋配置工程を備え、
前記傾斜工程において、前記支持部材に、前記コンクリート板の第１の縁部から突出した鉄筋の一端を着脱可能に取付け、同第１の縁部と対向する前記コンクリート板の第２の縁部から突出した鉄筋の他端を吊り降ろして、前記コンクリート板を傾斜させる
請求項２に記載の勾配コンクリート屋根の施工方法。
【請求項４】
所定以上の高さに略水平に配置された型枠に、生コンクリートを供給する供給工程と、
該供給工程において供給された前記生コンクリートが硬化して得られたコンクリート板を、略水平に配置された位置から水平方向に対して傾斜させる傾斜工程と、
該傾斜工程において傾斜された前記コンクリート板を、建材に接合する接合工程とを備える
勾配コンクリート屋根の施工方法。
【発明の詳細な説明】
【技術分野】
【０００１】
本発明は勾配コンクリート屋根の施工方法に関する。詳しくは、例えば家屋の勾配コンクリート屋根の施工方法に係るものである。
【背景技術】
【０００２】
日本国では、一般的な家屋は木造建築物であるが、耐火性、耐水密性、防腐防虫性、耐震性などを総合的に考慮すると、コンクリート建築物の評価は高い。
【０００３】
また、ほとんどの家屋の屋根は所定の勾配を有しており、例えば、勾配を有するコンクリート屋根を施工する場合、下型枠により勾配を有するコンクリート打設面を形成した後に、コンクリート打設面に生コンクリートを打設する。
【０００４】
このとき、生コンクリートの「ダレ」が生じやすいので、例えば、特許文献１には、勾配を有するコンクリート打設面を被覆するように金網を付設して、生コンクリートの把持力を向上させ、打設された生コンクリートのダレを防止することができる勾配コンクリートの施工方法が記載されている。
【先行技術文献】
【特許文献】
【０００５】
【特許文献１】特開平９−６７８９０号公報
【発明の概要】
【発明が解決しようとする課題】
【０００６】
しかしながら、特許文献１に記載された施工方法においても、生コンクリートのダレが生じてしまう可能性があり、また、型枠が勾配を有しているので型枠の下部（軒先側）に集中して生コンクリートの荷重が掛かりやすく、型枠の変形も生じやすかった。
【０００７】
本発明は、以上の点に鑑みて創案されたものであり、生コンクリートのダレの発生を抑制できると共に、型枠の変形も抑制できる勾配コンクリート屋根の施工方法を提供することを目的とする。
【課題を解決するための手段】
【０００８】
上記の目的を達成するために、本発明の勾配コンクリート屋根の施工方法は、一階の天井が位置する予定の領域以上の高さに略水平に配置された型枠に、生コンクリートを供給する供給工程と、該供給工程において供給された前記生コンクリートが硬化して得られたコンクリート板を、略水平に配置された位置から水平方向に対して傾斜させる傾斜工程と、該傾斜工程において傾斜された前記コンクリート板を、建材に接合する接合工程とを備える。
【０００９】
また、上記の目的を達成するために、本発明の勾配コンクリート屋根の施工方法は、所定以上の高さに略水平に配置された型枠に、生コンクリートを供給する供給工程と、該供給工程において供給された前記生コンクリートが硬化して得られたコンクリート板を、略水平に配置された位置から水平方向に対して傾斜させる傾斜工程と、該傾斜工程において傾斜された前記コンクリート板を、建材に接合する接合工程とを備える。
【００１０】
ここで、一階の天井が位置する予定の領域以上の高さのように所定以上の高さに略水平に配置された型枠に、生コンクリートを供給する供給工程によって、型枠が略水平に配置されているので、生コンクリートの荷重が型枠に均一に掛かる。
【００１１】
また、供給工程において供給された生コンクリートが硬化して得られたコンクリート板を、型枠が配置された位置から水平方向に対して傾斜させる傾斜工程によって、型枠で硬化して得られたコンクリート板を、その場で勾配コンクリート屋根として建材に接合できる。
【００１２】
また、本発明の勾配コンクリート屋根の施工方法は、屋根の棟が位置する予定の領域に配置された建材に、コンクリート板を支持する支持部材を配置する支持部材配置工程を備え、供給工程において、型枠を、屋根の棟が位置する予定の領域以上の高さに略水平に配置し、傾斜工程において、支持部材に、コンクリート板の第１の縁部を着脱可能に取付け、第１の縁部と対向するコンクリート板の第２の縁部を下げて、コンクリート板を傾斜させるものとすることができる。
【００１３】
この場合、屋根の棟が位置する予定の領域に配置された支持部材に、コンクリート板の第１の縁部を着脱可能に取付け、第１の縁部と対向するコンクリート板の第２の縁部を下げることによって、第１の縁部を軸にして第２の縁部を下げることができるので、コンクリート板を傾斜させやすい。
【００１４】
また、本発明の勾配コンクリート屋根の施工方法は、供給工程の前に、型枠から両端が突出するよう鉄筋を型枠に配置する鉄筋配置工程を備え、傾斜工程において、支持部材に、コンクリート板の第１の縁部から突出した鉄筋の一端を着脱可能に取付け、第１の縁部と対向するコンクリート板の第２の縁部から突出した鉄筋の他端を吊り降ろして、コンクリート板を傾斜させるものとすることができる。
【発明の効果】
【００１５】
本発明に係る勾配コンクリート屋根の施工方法は、生コンクリートのダレの発生を抑制できると共に、型枠の変形も抑制できる。
【図面の簡単な説明】
【００１６】
【図１】本発明の勾配コンクリート屋根の施工方法において使うコンクリート板を水平施工する様子の一例を示す概略図である。
【図２】本発明の勾配コンクリート屋根の施工方法の傾斜工程前の様子の一例を示す概略図である。
【図３】本発明の勾配コンクリート屋根の施工方法の傾斜工程の実施状況の一例を示す概略図である。
【図４】本発明の勾配コンクリート屋根の施工方法において使うコンクリート板を水平施工する様子の他の例を示す概略図である。
【図５】本発明の勾配コンクリート屋根の施工方法の傾斜工程前の様子の他の例を示す概略図である。
【図６】本発明の勾配コンクリート屋根の施工方法の傾斜工程の実施状況の他の例を示す概略図である。
【図７】本発明の勾配コンクリート屋根の施工方法において、屋根窓を施工した場合を説明する概略図である。
【発明を実施するための形態】
【００１７】
以下、本発明の実施の形態について図面を参照しながら説明し、本発明の理解に供する。
図１は、本発明の勾配コンクリート屋根の施工方法において使うコンクリート板を水平施工する様子の一例を示す概略図である。
また、図２は、本発明の勾配コンクリート屋根の施工方法の傾斜工程前の様子の一例を示す概略図である。
また、図３は、本発明の勾配コンクリート屋根の施工方法の傾斜工程の実施状況の一例を示す概略図である。
【００１８】
図１に示すように、建築予定の家屋の周囲に足場支柱１７を組み立てて配置する。また、足場支柱１７に沿って、補強鋼材１８が足場支柱１７に取付けられる。次に、所定以上の高さ、即ち、屋根の棟が位置する予定の領域の高さに略水平に、作業床１９を足場支柱１７間に架設する。
また、作業床１９の上方には、作業床１９に対して略平行に、クレーンレール１６を足場支柱１７間に架設する。
【００１９】
また、クレーンレール１６には、ホイストクレーン１５がクレーンレール１６に沿って滑走できるように取付けられている。また、ホイストクレーン１５は、ワイヤロープ１５Ａと、ワイヤロープ１５Ａの一端に取付けられたクレーンフック１５Ｂと、クレーンレール１６に沿って滑走するための車輪１５Ｃとを備える。
【００２０】
そして、略水平に架設された作業床１９に、略水平に第１の型枠１と第２の型枠２を配置する。
【００２１】
なお、図１に示すように、第１の型枠１の下部と第２の型枠２の下部にはそれぞれ、コンクリート板と鉄骨との接合のために使用される接合用突起部２２をコンクリート板に形成するために、下方に突出させた箇所が設けられている。
また、作業床１９には、接合用突起部２２に対応する位置に、孔などが設けられる。
【００２２】
また、作業床１９と第１の型枠１は、第１の型枠用支柱９及び第２の型枠用支柱１０によって支えられており、作業床１９と第２の型枠２は、第３の型枠用支柱１１及び第４の型枠用支柱１２によって支えられている。
【００２３】
次に、第１の型枠１内に、第１の横鉄筋５と、第１の横鉄筋５に対して略直角に位置するよう第１の縦鉄筋６とを配置させて、鉄筋を網状に配置する。
また、第２の型枠２内にも同様に、第２の横鉄筋７と、第２の横鉄筋７に対して略直角に位置するよう第２の縦鉄筋８とを配置させて、鉄筋を網状に配置する。
【００２４】
また、第１の横鉄筋５及び第２の横鉄筋７それぞれの両端は、第１の型枠１及び第２の型枠２から突出している。
【００２５】
また、屋根の棟が位置する予定の領域には、一方の妻側の妻側鉄骨（建材の一例である。）１４Ａと他方の妻側の妻側鉄骨（図示せず。）との間に架設された棟鉄骨（建材の一例である。）１４が配置されている。
【００２６】
また、棟鉄骨１４上に、支持部材１３を配置する。
また、傾斜した妻側鉄骨１４Ａの、平側鉄骨（建材の一例である。）１４Ｂの上面と接する箇所の一部が切り欠かれ、接合領域２１が形成される。
【００２７】
次に、第１の型枠１と第２の型枠２に、生コンクリートを供給する。そして、第１の型枠１と第２の型枠２それぞれに供給された生コンクリートが硬化するまで、第１の型枠１内及び第２の型枠２内で生コンクリートを養生する。生コンクリートが硬化して得られたものが、第１のコンクリート板３及び第２のコンクリート板４である。
【００２８】
また、第１のコンクリート板３及び第２のコンクリート板４は、コンクリート屋根として利用されるので、コンクリート屋根用の外装材やコンクリート屋根用の瓦を、生コンクリートの表面に取付けたり、採光窓とすべくガラスブロックを生コンクリート内に埋め込んだりする。
【００２９】
また、第１の型枠１と第２の型枠２は、図１に示すように、棟鉄骨１４に配置された支持部材１３を挟んで対向している。従って、支持部材１３に面した第１の型枠１の縁部（即ち、支持部材１３に面した第１のコンクリート板３の第１の縁部）から突出した第１の横鉄筋５の一端を、支持部材１３に着脱可能に、かつ角度変更可能に取付ける（即ち、引っ掛ける）。
【００３０】
また同じく、支持部材１３に面した第２の型枠２の縁部（即ち、支持部材１３に面した第２のコンクリート板４の第１の縁部）から突出した第２の横鉄筋７の一端も支持部材１３に着脱可能に、かつ角度変更可能に取付ける（即ち、引っ掛ける）。
【００３１】
また、図１に示すように、支持部材１３に面した第１の型枠１の縁部と対向する縁部（即ち、第１の縁部と対向する第１のコンクリート板３の第２の縁部）から突出した第１の横鉄筋５の他端はフック形状を有する。
【００３２】
また同じく、支持部材１３に面した第２の型枠２の縁部と対向する縁部（即ち、第１の縁部と対向する第２のコンクリート板４の第２の縁部）から突出した第２の横鉄筋７の他端もフック形状を有する。
【００３３】
そして、クレーンフック１５Ｂを、第１のコンクリート板３の第２の縁部から突出した第１の横鉄筋５の他端と、第２のコンクリート板４の第２の縁部から突出した第２の横鉄筋７の他端に取付ける。
【００３４】
次に、図２に示すように、作業床１９と、第１の型枠用支柱９と、第２の型枠用支柱１０と、第３の型枠用支柱１１と、第４の型枠用支柱１２を取外す。そして、第１の型枠１と第２の型枠２を、第１のコンクリート板３と第２のコンクリート板４から取外す。
【００３５】
このとき、第１のコンクリート板３の第２の縁部と、第２のコンクリート板４の第２の縁部を、ホイストクレーン１５によって少し持ち上げる。
【００３６】
そして、図３に示すように、ワイヤロープ１５Ａを伸ばして、第１のコンクリート板３の第２の縁部から突出した第１の横鉄筋５の他端や、第２のコンクリート板４の第２の縁部から突出した第２の横鉄筋７の他端を吊り降ろし、第１のコンクリート板３と第２のコンクリート板４をそれぞれ、第１のコンクリート板３と第２のコンクリート板４が略水平に配置された位置から水平方向に対して傾斜させる。
【００３７】
さらに、傾斜した妻側鉄骨１４Ａや、平側鉄骨１４Ｂに接触するまで、第１のコンクリート板３と第２のコンクリート板４を傾斜させた後、傾斜した第１のコンクリート板３と第２のコンクリート板４を、傾斜した妻側鉄骨１４Ａや、平側鉄骨１４Ｂに接合する。
【００３８】
このとき、第１のコンクリート板３の下面や第２のコンクリート板４の下面にそれぞれ形成された接合用突起部２２は、接合領域２１に嵌入される。
【００３９】
なお、図１に示す第１の型枠１や第２の型枠２は断面を示しているので、第１の横鉄筋５や第２の横鉄筋７はそれぞれ一本しか図示されていないが、複数本の第１の横鉄筋や第２の横鉄筋がそれぞれ略平行に配置されている。
【００４０】
また、傾斜された第１のコンクリート板３や第２のコンクリート板４を、平側鉄骨１４Ｂなどに接合した後、支持部材１３や棟鉄骨１４を、棟包み部材などで覆う。
【００４１】
図４は、本発明の勾配コンクリート屋根の施工方法において使うコンクリート板を水平施工する様子の他の例を示す概略図である。
また、図５は、本発明の勾配コンクリート屋根の施工方法の傾斜工程前の様子の他の例を示す概略図である。
また、図６は、本発明の勾配コンクリート屋根の施工方法の傾斜工程の実施状況の他の例を示す概略図である。
【００４２】
図１に示した例とは異なり、図４〜図６に示した例は、一度に２つのコンクリート板を生成せず、一方側の勾配コンクリート屋根を施工した後、他方側の勾配コンクリート屋根を施工する例である。
【００４３】
図４に示すように、３階建ての家屋の勾配コンクリート屋根を施工する場合、建築予定の家屋の周囲に足場支柱１７を組み立てて配置する。また、足場支柱１７に沿って、補強鋼材１８が足場支柱１７に取付けられる。次に、屋根の棟が位置する予定の領域よりも高い位置に、略水平に、作業床１９を足場支柱１７間に架設する。
【００４４】
また、作業床１９の上方には、作業床１９に対して略平行に、クレーンレール１６を足場支柱１７間に架設する。
【００４５】
また、略水平に架設された作業床１９に、略水平に第１の型枠１を配置する。
また、作業床１９と第１の型枠１を支持する、第１の型枠用支柱９及び第２の型枠用支柱１０は、２階部分の天井、若しくは、３階部分の床に立てられる。
【００４６】
また、第１の横鉄筋５と第１の縦鉄筋６は、図１に示す例と同様に配置され、第１の横鉄筋５の両端は、第１の型枠１から突出している。
【００４７】
また、棟鉄骨１４上に、支持部材１３を配置する。
また、傾斜した妻側鉄骨１４Ａの、平側鉄骨１４Ｂの上面と接する箇所の一部が切り欠かれ、接合領域２１が形成される。
【００４８】
第１の型枠１の下部には、コンクリート板と鉄骨との接合のために使用される接合用突起部２２をコンクリート板に形成するために、下方に突出させた箇所が設けられている。
【００４９】
また、第１の型枠１に生コンクリートを供給する。そして、供給された生コンクリートが硬化するまで、第１の型枠１内で生コンクリートを養生し、第１のコンクリート板３が得られる。
【００５０】
また、屋根の棟が位置する予定の領域に面することになる第１のコンクリート板３の第１の縁部から突出した第１の横鉄筋５の一端と、第１の縁部と対向する第１のコンクリート板３の第２の縁部から突出した第１の横鉄筋５の他端は、どちらも下向きに湾曲しているが、第１のコンクリート板３の第１の縁部から突出した第１の横鉄筋５の一端の方が緩やかに湾曲している。
【００５１】
また、第１のコンクリート板３の第１の縁部には、クレーンフック１５Ｂを取付けるためのフック部材２３が取付けられる。
【００５２】
そして、クレーンフック１５Ｂを、第１のコンクリート板３の第１の縁部に取付けられたフック部材２３と、第１のコンクリート板３の第２の縁部から突出した第１の横鉄筋５の他端に取付ける。
【００５３】
次に、図５に示すように、作業床１９と、第１の型枠用支柱９と、第２の型枠用支柱１０を取外す。そして、第１の型枠１を第１のコンクリート板３から取外す。
このとき、略水平な状態の第１のコンクリート板３全体を、ホイストクレーン１５によって少し持ち上げる。
【００５４】
そして、図６に示すように、ホイストクレーン１５をクレーンレール１６に沿って移動させ、第１のコンクリート板３の第１の縁部から突出した第１の横鉄筋５の一端を、支持部材１３に着脱可能に、かつ角度変更可能に取付ける（即ち、引っ掛ける）。
【００５５】
さらに、ワイヤロープ１５Ａを伸ばして、第１のコンクリート板３の第２の縁部から突出した第１の横鉄筋５の他端を吊り降ろし、第１のコンクリート板３を、第１のコンクリート板３が略水平に配置された位置から水平方向に対して傾斜させる。
【００５６】
そして、傾斜した妻側鉄骨１４Ａや、平側鉄骨１４Ｂに接触するまで、第１のコンクリート板３を傾斜させた後、傾斜した第１のコンクリート板３を、傾斜した妻側鉄骨１４Ａや、平側鉄骨１４Ｂに接合する。
【００５７】
このとき、第１のコンクリート板３の下面に形成された接合用突起部２２は、接合領域２１に嵌入される。
【００５８】
また、第１のコンクリート板３を接合した後、第１のコンクリート板３と同様に、第２の型枠を用いて第２のコンクリート板を得て、傾斜した妻側鉄骨１４Ａや、平側鉄骨１４Ｂに、第２のコンクリート板を接合する。
【００５９】
図７は、本発明の勾配コンクリート屋根の施工方法において、屋根窓を施工した場合を説明する概略図である。
図７（ａ）に示すように、略水平に配置された型枠に入れられた生コンクリートが硬化する前に、生コンクリートに屋根窓２０を設け、屋根窓２０が設けられた第１のコンクリート板３を得る。
【００６０】
ここで、屋根窓２０は、第１のコンクリート板３が傾斜されたときに水平方向に向くよう、略水平な第１のコンクリート板３に対して傾斜した状態で設けられる。
【００６１】
次に、図７（ｂ）に示すように、屋根窓２０が設けられた第１のコンクリート板３を、第１のコンクリート板３が略水平に配置された位置から水平方向に対して傾斜させる。
【００６２】
ここで、本発明の勾配コンクリート屋根の施工方法が、所定以上の高さに略水平に配置された型枠に、生コンクリートを供給する供給工程と、供給工程において供給された生コンクリートが硬化して得られたコンクリート板を、略水平に配置された位置から水平方向に対して傾斜させる傾斜工程と、傾斜工程において傾斜されたコンクリート板を、建材に接合する接合工程とを備えるのであれば、必ずしも屋根の棟が位置する予定の領域以上の高さに型枠を配置しなくてもよく、例えば、一階の天井が位置する予定の領域の高さに型枠を配置してもよい。
【００６３】
また、本発明の勾配コンクリート屋根の施工方法が、所定以上の高さに略水平に配置された型枠に、生コンクリートを供給する供給工程と、供給工程において供給された生コンクリートが硬化して得られたコンクリート板を、略水平に配置された位置から水平方向に対して傾斜させる傾斜工程と、傾斜工程において傾斜されたコンクリート板を、建材に接合する接合工程とを備えるのであれば、必ずしも屋根の棟が位置する予定の領域に配置された建材（棟鉄筋など）に、コンクリート板を支持する支持部材を配置しなくてもよい。
【００６４】
しかし、屋根の棟が位置する予定の領域に配置された建材に、コンクリート板を支持する支持部材を配置していれば、支持部材に、コンクリート板の第１の縁部を着脱可能に取付け、第１の縁部と対向するコンクリート板の第２の縁部を下げることによって、第１の縁部を軸にして第２の縁部を下げることができるので、コンクリート板を傾斜させやすくなり、好ましい。
【００６５】
また、本発明の勾配コンクリート屋根の施工方法が、所定以上の高さに略水平に配置された型枠に、生コンクリートを供給する供給工程と、供給工程において供給された生コンクリートが硬化して得られたコンクリート板を、略水平に配置された位置から水平方向に対して傾斜させる傾斜工程と、傾斜工程において傾斜されたコンクリート板を、建材に接合する接合工程とを備えるのであれば、必ずしも第１の横鉄筋の両端や第２の横鉄筋の両端を、第１のコンクリート板の第１の縁部と第２の縁部、並びに、第２のコンクリート板の第１の縁部と第２の縁部から突出させなくてもよい。
【００６６】
しかし、第１の横鉄筋の両端や第２の横鉄筋の両端を、第１のコンクリート板の第１の縁部と第２の縁部、並びに、第２のコンクリート板の第１の縁部と第２の縁部から突出させておけば、前述のように、第１のコンクリート板及び第２のコンクリート板それぞれの第２の縁部から突出した鉄筋に、ワイヤロープを取付け、第１のコンクリート板及び第２のコンクリート板それぞれの第１の縁部から突出した鉄筋を支持部材に取付け、支持部材に取付けた鉄筋を軸にして、第１のコンクリート板や第２のコンクリート板を傾斜させることができる。
【００６７】
また、本実施例では、屋根の棟が位置する予定の領域以上の高さに第１の型枠と第２の型枠を略水平に配置して、第１のコンクリート板と第２のコンクリート板を生成し、第１のコンクリート板と第２のコンクリート板それぞれの、屋根の軒先側に当たる第２の縁部を吊り降ろしているが、コンクリート板を、コンクリート板が略水平に配置された位置から水平方向に対して傾斜させるのであれば、必ずしもこの例に限定されなくてもよい。
【００６８】
例えば、一階の天井が位置する予定の領域の高さに第１の型枠と第２の型枠を略水平に配置して、第１のコンクリート板と第２のコンクリート板を生成し、第１のコンクリート板と第２のコンクリート板それぞれの、屋根の棟側に当たる第１の縁部を、屋根の棟が位置する予定の領域まで吊り上げるようにしてもよい。
【００６９】
また、切妻屋根の施工を例に挙げて説明したが、勾配を有する屋根であれば、必ずしも切妻屋根だけでなく、例えば、寄棟屋根、入母屋屋根、ギャンブレル（腰折れ）屋根、片流れ屋根、鋸屋根、Ｍ型屋根、バタフライ屋根、及び、越屋根に、本発明の勾配コンクリート屋根の施工方法を適用することができる。
【００７０】
また、ホイストクレーンを用いてコンクリート板を傾斜させているが、コンクリート板を、コンクリート板が略水平に配置された位置から水平方向に対して傾斜させることができれば、必ずしもホイストクレーンを用いなくてもよい。
【００７１】
以上のように、本発明の勾配コンクリート屋根の施工方法は、一階の天井が位置する予定の領域以上の高さのように所定以上の高さに略水平に配置された型枠に、生コンクリートを供給する供給工程を備えるので、生コンクリートの荷重が、略水平に配置された型枠に均一に掛かる。
【００７２】
よって、本発明の勾配コンクリート屋根の施工方法は、生コンクリートのダレの発生を抑制できると共に、型枠の変形も抑制できる。
【００７３】
また、一階の天井が位置する予定の領域以上の高さのように所定以上の高さに略水平に型枠を配置するので、従来のように斜めに型枠を配置する場合よりも、簡単に型枠を配置でき、型枠内での鉄筋の配置工事や、生コンクリートの打設が容易であり、上から目視して仕上げ品質を確認しやすく、そして、屋根窓の取付けやガラスブロックの埋め込みなどのデザイン加工が簡単である。
【００７４】
また、一階の天井が位置する予定の領域以上の高さに配置された型枠でコンクリート板を生成し、その場で型枠を外して、コンクリート板が略水平に配置された位置から水平方向に対してコンクリート板を傾斜させ、傾斜されたコンクリート板を、鉄骨などの建材に接合するというような現場施工なので、別の場所で略水平に配置された型枠によって得られたコンクリート板を搬送してくるよりも、搬送の手間及び搬送費用を抑えることができる。
【符号の説明】
【００７５】
１    第１の型枠
２    第２の型枠
３    第１のコンクリート板
４    第２のコンクリート板
５    第１の横鉄筋
６    第１の縦鉄筋
７    第２の横鉄筋
８    第２の縦鉄筋
９    第１の型枠用支柱
１０    第２の型枠用支柱
１１    第３の型枠用支柱
１２    第４の型枠用支柱
１３    支持部材
１４    棟鉄骨
１４Ａ  妻側鉄骨
１４Ｂ  平側鉄骨
１５    ホイストクレーン
１５Ａ  ワイヤロープ
１５Ｂ  クレーンフック
１５Ｃ  車輪
１６    クレーンレール
１７    足場支柱
１８    補強鋼材
１９    作業床
２０    屋根窓
２１    接合領域
２２    接合用突起部
２３    フック部材
【図１】
2012167476.tif 000003
【図２】
2012167476.tif 000004
【図３】
2012167476.tif 000005
【図４】
2012167476.tif 000006
【図５】
2012167476.tif 000007
【図６】
2012167476.tif 000008
【図７】
2012167476.tif 000009
【手続補正書】
【提出日】平成23年11月1日(2011.11.1)
【手続補正１】
【補正対象書類名】特許請求の範囲
【補正対象項目名】全文
【補正方法】変更
【補正の内容】
【特許請求の範囲】
【請求項１】
一階または複数階の屋根が位置する予定の領域以上の高さに略水平に配置された型枠に、生コンクリートを供給する供給工程と、
該供給工程において供給された前記生コンクリートが硬化して得られたコンクリート板を、略水平に配置された位置から水平方向に対して傾斜させる傾斜工程と、
該傾斜工程において傾斜された前記コンクリート板を、建材に接合する接合工程とを備える
勾配コンクリート屋根の施工方法。
【請求項２】
屋根の棟が位置する予定の領域に配置された建材に、前記コンクリート板を支持する支持部材を配置する支持部材配置工程を備え、
前記供給工程において、型枠を、屋根の棟が位置する予定の領域以上の高さに略水平に配置し、
前記傾斜工程において、前記支持部材に、前記コンクリート板の第１の縁部を着脱可能に取付け、同第１の縁部と対向する前記コンクリート板の第２の縁部を下げて、前記コンクリート板を傾斜させる
請求項１に記載の勾配コンクリート屋根の施工方法。
【請求項３】
前記供給工程の前に、前記型枠から両端が突出するよう鉄筋を前記型枠に配置する鉄筋配置工程を備え、
前記傾斜工程において、前記支持部材に、前記コンクリート板の第１の縁部から突出した鉄筋の一端を着脱可能に取付け、同第１の縁部と対向する前記コンクリート板の第２の縁部から突出した鉄筋の他端を吊り降ろして、前記コンクリート板を傾斜させる
請求項２に記載の勾配コンクリート屋根の施工方法。